(57)【要約】  【課題】  扉体の上下回動に要する力を軽減することができる食器洗浄機を提供する。  【解決手段】  洗浄槽１０の側面壁１０ｅに枢支されている被枢支部３０を有し、洗浄槽１０が前面側に有する開口部を閉塞及び開放する扉体２を上下回動可能に支持する支持腕３を備え、洗浄槽１０に給水された水を食器Ａに噴射するようにしてある食器洗浄機において、被枢支部３０の回動中心から離隔した部位に凹部３０ａを設け、一端４ｂが前記洗浄槽１０の側面壁１０ｅに固定されていて、開口部を閉塞した扉体２が上方へ回動し、かつ開口部を開放した扉体２が下方へ回動するように凹部３０ａを付勢する付勢部４ａを他端に有する板ばね４を備える。【選択図】        図１
2006255117.tif 000002
【特許請求の範囲】
【請求項１】
洗浄槽が前面側に有する開口部を閉塞及び開放する扉体と、前記洗浄槽の側部に枢支されている被枢支部を有し、前記扉体を上下回動可能に支持する支持腕とを備え、前記洗浄槽に給水された水を食器に噴射するようにしてある食器洗浄機において、
前記被枢支部は、
回動中心から離隔した部位に凹部を有しており、
一端が前記洗浄槽の側部に固定されていて、前記開口部を閉塞した前記扉体が上方へ回動し、かつ前記開口部を開放した前記扉体が下方へ回動するように、前記凹部を付勢する付勢部を他端に有する板ばねを備える
ことを特徴とする食器洗浄機。
【請求項２】
前記支持腕及び前記洗浄槽の側部の間に取着しており、前記扉体の自重と釣り合う釣合ばねを備え、
前記付勢部は、
前記被枢支部の回動中心方向へ前記被枢支部を付勢しており、
前記凹部は、
側面視が略Ｖ字状であり、該凹部の底及び前記回動中心を通る面に対して対称的に形成されている
ことを特徴とする請求項１に記載の食器洗浄機。
【請求項３】
前記付勢部又は前記被枢支部は、
前記付勢部と前記被枢支部とが当接している部分に、他の部分と比べて摩擦係数の小さい部材を備える
ことを特徴とする請求項１又は請求項２に記載の食器洗浄機。
【請求項４】
前記付勢部は、
前記被枢支部と当接している部分にローラを備える
ことを特徴とする請求項１乃至請求項３のいずれか一つに記載の食器洗浄機。
【発明の詳細な説明】
【技術分野】
【０００１】
本発明は、食器洗浄機に関し、特に食器を出し入れするための開口部を閉塞及び開放する扉体の回動機構を有する食器洗浄機に関する。
【背景技術】
【０００２】
従来の食器洗浄機は、洗浄槽の前面側の開口部を閉塞する扉体が、洗浄槽の側部に枢支されている支持腕によって上下回動可能に支持されている。支持腕と洗浄槽との間には、扉体が上方へ回動して開口部が開放するように引張り付勢するコイルばねが取着されている。
【０００３】
このように構成される食器洗浄機においては、コイルばねの付勢力によって扉体の上方への回動が付勢されるため、扉体を上方へ回動させる力が軽減される。
【特許文献１】特開２０００−１５０９５８号公報
【発明の開示】
【発明が解決しようとする課題】
【０００４】
しかしながら、従来の食器洗浄機においては、扉体が上方へ回動するように付勢されているため、食器洗浄機の使用者が開口部を閉塞するために扉体を下方へ回動させる場合、付勢力に逆らって扉体を回動させる力を要するという問題があった。
【０００５】
本発明は斯かる事情に鑑みてなされたものであり、支持腕に凹部を形成し、開口部を開放した扉体が下方へ回動するとともに、開口部を閉塞した扉体が上方へ回動するように凹部を付勢する板ばねを備えることにより、扉体の上下回動に要する力、特に開口部を開放した扉体の下方への回動に要する力を軽減することができる食器洗浄機を提供することを目的とする。
【０００６】
また、扉体の自重と釣り合う釣合ばねを備え、支持腕の凹部を対称的に形成し、付勢部が支持腕の回動中心方向へ支持腕を付勢するように構成することにより、開口部を閉塞した扉体の上方への回動に要する力と、開口部を開放した扉体の下方への回動に要する力とを等しくし、扉体の上下回動に要する力、特に扉体の上方への回動に要する力を軽減することができる食器洗浄機を提供することを他の目的とする。
【０００７】
更に、付勢部と支持腕とが当接している部分に、付勢部又は支持腕の他の部分と比べて摩擦係数の小さい部材を備えることにより、該部材を備えない場合に比べて、付勢部と支持腕との間に働く摩擦力を軽減し、扉体の上下回動に要する力を軽減することができる食器洗浄機を提供することを他の目的とする。
【０００８】
更にまた、支持腕と当接している付勢部の部分にローラを備えることにより、ローラを備えない場合に比べて、付勢部と支持腕との間に働く摩擦力を軽減し、扉体の上下回動に要する力を軽減することができる食器洗浄機を提供することを他の目的とする。
【課題を解決するための手段】
【０００９】
本発明に係る食器洗浄機は、洗浄槽が前面側に有する開口部を閉塞及び開放する扉体と、前記洗浄槽の側部に枢支されている被枢支部を有し、前記扉体を上下回動可能に支持する支持腕とを備え、前記洗浄槽に給水された水を食器に噴射するようにしてある食器洗浄機において、前記被枢支部は、回動中心から離隔した部位に凹部を有しており、一端が前記洗浄槽の側部に固定されていて、前記開口部を閉塞した前記扉体が上方へ回動し、かつ前記開口部を開放した前記扉体が下方へ回動するように、前記凹部を付勢する付勢部を他端に有する板ばねを備えることを特徴とする。
【００１０】
本発明にあっては、開口部を開放した扉体が下方へ回動する場合、板ばねの付勢部は被枢支部が有する凹部の底から離れた部位を、該底に近づく方向へ付勢し、凹部の底まで変位する。付勢部が凹部の底まで変位した場合、板ばねの弾性力は、扉体の下方への回転力に変換される。付勢部が凹部の底まで変位した場合、更に扉体を下方へ回動させるためには、板ばねの弾性力に逆らうようにして扉体を回動させる必要があるが、扉体及び支持腕は下方へ回動する慣性力によって更に下方へ回動する。同様に開口部を閉塞した扉体が上方へ回動する場合、付勢部は、開口部が開放した際に付勢している部位とは異なる凹部の底から離れた部位を、該底に近づく方向へ付勢し、凹部の底まで変位する。付勢部が凹部の底まで変位した場合、板ばねの弾性力は、扉体の上方への回転力に変換される。
【００１１】
本発明に係る食器洗浄機は、前記支持腕及び前記洗浄槽の側部の間に取着しており、前記扉体の自重と釣り合う釣合ばねを備え、前記付勢部は、前記被枢支部の回動中心方向へ前記被枢支部を付勢しており、前記凹部は、側面視が略Ｖ字状であり、該凹部の底及び前記回動中心を通る面に対して対称的に形成されていることを特徴とする。
【００１２】
本発明にあっては、被枢支部が備えている凹部は、側面視が略Ｖ字状であり、凹部の底及び前記回動中心を通る面に対して対称的に形成されていて、付勢部は、支持腕の回動中心方向へ凹部を付勢するため、凹部の底から離れていて、前記面に対して対称的な部位夫々から凹部の底まで付勢部が変位する場合、前記部位から付勢部が変位する夫々の過程で、板ばねの弾性力が同様に扉体の上下方向の回転力に変換される。即ち、開口部を開放した扉体の下方への回動、及び開口部を閉塞した扉体の上方への回動に要する力は同様に軽減される。更に、支持腕及び洗浄槽の側部の間に取着してある釣合ばねは、扉体の自重と釣り合うように引張り付勢しているため、扉体が自重で閉じることはなく、扉体を上方へ回動させて開口部を開放する場合に要する力と、下方へ回動させて開口部を閉塞する場合に要する力は等しい。
【００１３】
本発明に係る食器洗浄機は、前記付勢部又は前記被枢支部が、前記付勢部と前記被枢支部とが当接している部分に、他の部分と比べて摩擦係数の小さい部材を備えることを特徴とする。
【００１４】
本発明にあっては、付勢部が被枢支部と当接している部分に、付勢部の他の部分と比べて摩擦係数の小さい部材が備えられているため、付勢部と被枢支部との間に働く摩擦力は、前記部材を備えない場合に比べて小さい。同様に被枢支部が付勢部と当接している部分に、被枢支部の他の部分と比べて摩擦係数の小さい部材が備えられているため、付勢部と被枢支部との間に働く摩擦力は、前記部材を備えない場合に比べて小さい。従って、扉体の上下回動に要する力を軽減することができる。
【００１５】
本発明に係る食器洗浄機は、前記付勢部が、前記被枢支部と当接している部分にローラを備えることを特徴とする。
【００１６】
本発明にあっては、付勢部はローラを備えているため、付勢部と支持腕の被枢支部との間に働く摩擦力は、ローラを備えない場合に比べて小さい。従って、扉体の上下回動に要する力を軽減することができる。
【発明の効果】
【００１７】
本発明にあっては、扉体の上下回動に要する力、特に開口部を開放した扉体の下方への回動に要する力を軽減することができる。
【００１８】
本発明にあっては、開口部を閉塞した扉体の上方への回動に要する力と、開口部を開放した扉体の下方への回動に要する力とを等しくし、扉体の上下回動に要する力、特に扉体の上方への回動に要する力を軽減することができる。
【００１９】
本発明にあっては、摩擦係数の小さい部材を備えない場合に比べて、付勢部と支持腕との間に働く摩擦力を軽減し、扉体の上下回動に要する力を軽減することができる。
【００２０】
本発明にあっては、ローラを備えない場合に比べて、付勢部と支持腕の被枢支部との間に働く摩擦力を軽減し、扉体の上下回動に要する力を軽減することができる。
【発明を実施するための最良の形態】
【００２１】
以下、本発明をその実施の形態を示す図面に基づいて詳述する。
（実施の形態１）
図１乃至図３は、実施の形態１に係る食器洗浄機の略示側断面図である。
【００２２】
図中１は、流し台に設置される底板部１ｂ及び底板部１ｂに略平行な天板部１ａを備えた略直方体形状の筐体であり、筐体１は、略直方体の洗浄槽１０を内部に備えている。筐体１及び洗浄槽１０は、食器Ａを出し入れするための開口部１１を正面側に有している。また、筐体１には、正面側の下部に食器Ａの洗浄を開始及び中止させる操作パネルが配設されている。
【００２３】
洗浄槽１０は、平面視で略矩形の底面部１０ａを有しており、底面部１０ａは、筐体１の底板部１ｂに対して略平行に配置されている。底面部１０ａには、洗浄槽１０内部に収容された食器かご７に載せられている食器Ａに水を噴射する洗浄ノズル８が配設されている。洗浄ノズル８には、洗浄水を供給する洗浄ポンプ９が連結されており、該洗浄ポンプ９は、洗浄槽１０の下側、洗浄槽１０と筐体１との間に配置されている。底面部１０ａの周縁部分には、背面壁１０ｃ、及び両側面壁１０ｅが底面部１０ａに対して略垂直に形成されており、背面壁１０ｃ及び両側面壁１０ｅの上端部分には、底板部１ｂに略平行な天面部１０ｄが形成されている。両側面壁１０ｅの正面縁部は、上側で背面側に湾曲している。また、底面部１０ａの正面側の端部には、洗浄ノズル８より噴射された水を受けて洗浄槽１０の底部分で溜めるために必要な高さを有する正面壁１０ｂが底面部１０ａに対して略垂直に形成されている。
【００２４】
食器洗浄機は、食器Ａを洗浄する際に洗浄槽１０の開口部１１を閉塞するために、洗浄槽１０の側面壁１０ｅの正面縁部に倣うように形成された扉体２を備えている。扉体２の正面側、横方向略中央部の下側部分には、扉体２を上下回動させるためのノブ２１が設けられている。また扉体２は、横方向に薄い板状の２本の支持腕３によって洗浄槽１０に上下回動可能に支持されている。
【００２５】
支持腕３は、側面壁１０ｅの上側背面寄り部分に、横方向に突設された枢軸３２によって回動可能に枢支された被枢支部３０を一端に有し、支持腕３の他端３１は、扉体２の側部の上下方向略中央部にねじ止めされている。また、支持腕３は、開口部１１を閉塞した扉体２が上方へ回動する際に、支持腕３が天板部１ａに突当たらないように、開口部１１を閉塞した状態での側断面がＵ字状に形成されている。
【００２６】
洗浄槽１０の両側面壁１０ｅの外側であって、被枢支部３０の上側正面寄りの部分に、銅合金からなる板ばね４の一端４ｂが、板ばね４が上下方向に撓み、板ばね４の他端の下側に被枢支部３０が位置するように固定部５によって固定されている。板ばね４の他端の下側部分には、板ばね４の弾性力によって、被枢支部３０の外縁の一部分を支持腕３の回動中心方向に付勢する付勢部４ａが一体形成されている。付勢部４ａは、一の頂点を下向きにした三角形の側断面を有し、付勢部４ａの稜線は面取りされている。
【００２７】
支持腕３の被枢支部３０は、側面視が略Ｖ字状の凹部３０ａを、付勢部４ａに付勢される部分に備えている。凹部３０ａは、２に示すように開口部１１を閉塞した扉体２が上方へ略４５度回動した場合、付勢部４ａに付勢される部位に底部３０ｅを有し、凹部３０ａは底部３０ｅ及び支持腕３の回動中心を通る面に対して対称的である。また、凹部３０ａは、図１に示すように扉体２が開口部１１を閉塞した場合、付勢部４ａに係止し、開口部１１を閉塞した扉体２を上方へ回動させる所定値以上の力を加えた場合、付勢部４ａを脱することができるように湾曲した側断面凸状の閉扉係止部３０ｂが、凹部３０ａの一方の縁に連続的に形成されている。
【００２８】
更に図３に示すように扉体２が開口部１１を閉塞した状態から略９０度回動し、開口部１１を開放した場合、付勢部４ａに係止し、開口部１１を開放した扉体２を下方へ回動させる所定値以上の力を加えた場合、付勢部４ａを脱することができるように湾曲した側断面凸状の開扉係止部３０ｃが、凹部３０ａの他方の縁に連続的に形成されている。
【００２９】
図１に示すように、被枢支部３０の背面側部分には、扉体２の自重と釣り合う釣合ばね６の一端が掛着する掛着部３０ｄが形成されている。掛着部３０ｄに掛着している釣合ばね６の他端は、側面壁１０ｅの外側、特に支持腕３の回動中心よりも下側背面寄りに掛着している。
【００３０】
上述の被枢支部３０の形状は２本の支持腕３夫々同様であり、両側面壁１０ｅ夫々には支持腕３、板ばね４、及び釣合ばね６が同様に構成されている。
【００３１】
次に、扉体２の上下回動機構を説明する。図１に示すように扉体２が開口部１１を閉塞している場合、閉扉係止部３０ｂは付勢部４ａに係止している。開口部１１を閉塞した扉体２を上方へ回動させる場合、閉扉係止部３０ｂが付勢部４ａを脱する必要があるため、扉体２は開口部１１を閉塞した状態で保持される。
【００３２】
開口部１１を閉塞している扉体２に、扉体２を上方へ回動させる所定値以上の力を加えた場合、閉扉係止部３０ｂは付勢部４ａを脱し、扉体２及び支持腕３は上方へ回動する。開口部１１を閉塞した扉体２が上方へ回動する場合、付勢部４ａは、閉扉係止部３０ｂ側から凹部３０ａの底部３０ｅまで被枢支部３０を付勢しながら下方へ変位し、板ばね４の弾性力は、扉体２の上方への回転力に変換される。扉体２が回動して付勢部４ａが底部３０ｅまで変位した場合、図２に示すように開口部１１を閉塞した扉体２が上方へ略４５度回動した状態となる。
【００３３】
付勢部４ａが底部３０ｅに位置するまで扉体２が回動した場合、扉体２は、板ばね４の弾性力によって上方へ回動しているため、扉体２は慣性力によって更に上方へ回動する。図３に示すように、開口部１１を閉塞した扉体２が上方へ略９０度回動し、開扉係止部３０ｃが付勢部４ａを乗り越えるまで回動した場合、開扉係止部３０ｃは付勢部４ａに係止する。開扉係止部３０ｃが付勢部４ａに係止した場合、扉体２は開口部１１を開放した状態となる。開口部１１を開放した扉体２を下方へ回動させる場合、開扉係止部３０ｃが付勢部４ａを脱する必要があるため、扉体２は開口部１１を開放した状態で保持される。
【００３４】
開口部１１を開放した扉体２を下方へ回動させる場合も、扉体２を上方へ回動させる場合と同様の機構で動作する。つまり、開口部１１を開放した扉体２に、扉体２を下方へ回動させる所定値以上の力を加えた場合、開扉係止部３０ｃは付勢部４ａを脱し、扉体２は下方へ回動する。そして、板ばね４の弾性力が扉体２の下方への回転力に変換される。
【００３５】
実施の形態１にあっては、扉体２の下方及び上方への回動に要する力を軽減することができる。従って、食器洗浄機の使用者は、開口部１１を開放した扉体２を下方へ回動させる所定値以上の力を始めに加えるのみで、扉体２を下方へ回動させることができる。また、開口部１１を閉塞した扉体２を上方へ回動させる所定値以上の力を始めに加えるのみで、扉体２を上方へ回動させることができる。
【００３６】
また、付勢部４ａは支持腕３の回動中心方向を付勢しており、凹部３０ａが対称的に形成されていて、更に扉体２の自重と釣り合う釣合ばね６を備えているため、扉体２の上下回動夫々に要する力を等しくし、特に扉体２の上方への回動に要する力を軽減することができる。
【００３７】
（実施の形態２）
図４は、実施の形態２に係る食器洗浄機の略示部分側断面図である。
【００３８】
実施の形態２に係る食器洗浄機が備える板ばね１０４の他端には、板ばね１０４の弾性力によって被枢支部３０を付勢するローラ１４０を有する付勢部１０４ａが設けられている。ローラ１４０の回転軸の向きは、洗浄槽の側面壁に対して略垂直、即ち支持腕３が回動した場合、被枢支部３０上をローラ１４０が転動する向きである。
【００３９】
実施の形態２にあっては、板ばね１０４の他端に銅合金の付勢部を一体形成している場合に比べて、扉体２を上下回動する場合に付勢部１０４ａと被枢支部３０との間に働く摩擦力がより小さくなるため、扉体２の上下回動に要する力が軽減される。
【００４０】
付勢部１０４ａ以外の他の構成、作用及び効果は、実施の形態１に係る食器洗浄機の構成、作用及び効果と同様であるため、同様の箇所には同様の符号を付して詳細な説明を省略する。
【００４１】
（実施の形態３）
図５は、実施の形態３に係る食器洗浄機の略示部分側断面図である。
【００４２】
実施の形態３に係る食器洗浄機が備える板ばね２０４の他端には、板ばね２０４の弾性力によって被枢支部２３０を付勢する付勢部２０４ａが設けられている。付勢部２０４ａの被枢支部２３０と当接している部分は、板ばね２０４に比べて摩擦係数の小さい樹脂製部材から構成されている。
【００４３】
また、被枢支部２３０の付勢部２０４ａと当接している部分２３０ｆは、被枢支部２３０の他の部分に比べて摩擦係数の小さい樹脂製部材から構成されている。
【００４４】
実施の形態３にあっては、付勢部２０４ａと被枢支部２３０とが当接している部分が樹脂製部材から構成されているため、板ばね２０４の他端に銅合金の付勢部を一体形成している場合に比べて、扉体２が上下回動する場合に付勢部２０４ａと被枢支部２３０との間に働く摩擦力がより小さくなり、扉体２の上下回動に要する力が軽減される。
【００４５】
付勢部２０４ａ及び被枢支部２３０以外の他の構成、作用及び効果は、実施の形態１に係る食器洗浄機の構成、作用及び効果と同様であるため、同様の箇所には同様の符号を付して詳細な説明を省略する。
【図面の簡単な説明】
【００４６】
【図１】実施の形態１に係る食器洗浄機の略示側断面図である。
【図２】実施の形態１に係る食器洗浄機の略示側断面図である。
【図３】実施の形態１に係る食器洗浄機の略示側断面図である。
【図４】実施の形態２に係る食器洗浄機の略示部分側断面図である。
【図５】実施の形態３に係る食器洗浄機の略示部分側断面図である。
【符号の説明】
【００４７】
１  筐体
２  扉体
３  支持腕
４  板ばね
４ａ  付勢部
６  釣合ばね
８  洗浄ノズル
９  洗浄ポンプ
１０  洗浄槽
１０ｅ  側面壁
１１  開口部
３０  被枢支部
３１  先端部
３２  枢軸
３０ａ  凹部
３０ｂ  閉扉係止部
３０ｃ  開扉係止部
３０ｄ  掛着部
３０ｅ  底部
Ａ  食器
【図１】
2006255117.tif 000003
【図２】
2006255117.tif 000004
【図３】
2006255117.tif 000005
【図４】
2006255117.tif 000006
【図５】
2006255117.tif 000007